【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
画像処理装置であって、
利用者が操作するための操作手段と、
保存されている所定情報のデータの更新に関する情報を記述したシンジケーションデータを取得するシンジケーションデータ取得手段と、
前記操作手段において行われた、前記画像処理装置を機能させるための一定の操作に応じて、前記シンジケーションデータ取得手段によりシンジケーションデータを取得し、取得したシンジケーションデータを整形して表示手段により表示する制御手段と、
を備えることを特徴とする画像処理装置。
【請求項２】
画像処理装置であって、
利用者が操作するための操作手段と、
保存されている所定情報のデータの更新に関する情報を記述したシンジケーションデータを取得するシンジケーションデータ取得手段と、
前記画像処理装置がアイドル状態にあるときに、前記シンジケーションデータ取得手段によりシンジケーションデータを取得し、取得したシンジケーションデータを整形して表示手段により表示する制御手段と、
を備えることを特徴とする画像処理装置。
【請求項３】
画像処理装置であって、
利用者が操作するための操作手段と、
保存されている所定情報のデータの更新に関する情報を記述したシンジケーションデータを取得するシンジケーションデータ取得手段と、
前記画像処理装置にエラーが発生したときに、前記シンジケーションデータ取得手段によりシンジケーションデータを取得し、取得したシンジケーションデータを整形して表示手段により表示する制御手段と、
を備えることを特徴とする画像処理装置。
【請求項４】
前記画像処理装置はネットワークに接続され、
前記画像処理装置内部に記憶されたデータの更新に関する情報を収集する更新情報収集手段と、
前記更新情報収集手段により収集した更新情報をマークアップ言語によって記述したシンジケーションデータを生成して保存する生成手段と、
前記シンジケーションデータを要求に応じて提供するシンジケーションデータ提供手段とをさらに備え、
前記シンジケーションデータ取得手段は、前記ネットワークに接続された他の画像処理装置のシンジケーションデータ提供手段、または、当該シンジケーションデータ取得手段と同じ画像処理装置に属するシンジケーションデータ提供手段のいずれからもシンジケーションデータを取得可能であることを特徴とする請求項１乃至３のいずれか１項に記載の画像処理装置。
【請求項５】
前記操作手段による操作に応じて文書データを通信により送信する文書送信手段をさらに備え、
前記シンジケーションデータ取得手段は、前記操作手段により文書送信のための操作が行われたときに、送信先アドレス情報の更新に関するシンジケーションデータを取得し、
前記制御部は、送信先アドレス情報の更新に関するシンジケーションデータを表示することを特徴とする請求項１乃至４のいずれか１項に記載の画像処理装置。
【請求項６】
前記操作手段による操作に応じて文書データを蓄積する文書管理手段をさらに備え、
前記シンジケーションデータ取得手段は、前記操作手段により文書蓄積のための操作が行われたときに、蓄積された情報の更新に関するシンジケーションデータを取得し、
前記制御部は、前記蓄積された情報の更新に関するシンジケーションデータを表示することを特徴とする請求項１乃至４のいずれか１項に記載の画像処理装置。
【請求項７】
前記操作手段による操作に応じて通信のアドレス情報を管理するアドレス管理手段をさらに備え、
前記シンジケーションデータ取得手段は、前記操作手段によりアドレス管理のための操作が行われたときに、アドレス情報の更新に関するシンジケーションデータを取得し、
前記制御部は、前記アドレス情報の更新関するシンジケーションデータを表示することを特徴とする請求項１乃至４のいずれか１項に記載の画像処理装置。
【請求項８】
前記文書管理手段は、蓄積された前記文書データの追加、削除、編集、受信、送信または蓄積方法の変更のいずれかの管理処理を行え、
前記シンジケーションデータ取得手段は、前記管理処理に応じて、蓄積された文書データの更新に関するシンジケーションデータを取得することを特徴とする請求項１乃至４のいずれか１項に記載の画像処理装置。
【請求項９】
前記アドレス管理手段は、前記アドレス情報の追加、削除、編集のいずれかの管理処理を行え、前記シンジケーションデータ取得手段は、前記管理処理に応じて、アドレス情報の更新に関するシンジケーションデータを取得することを特徴とする請求項１乃至４のいずれか１項に記載の画像処理装置。
【請求項１０】
前記制御手段は、削除された情報に関連するシンジケーションデータを表示すること特徴する請求項１乃至４のいずれか１項に記載の画像処理装置。
【請求項１１】
前記制御手段は、更新された情報に関連するサムネール画像を表示することを特徴とする請求項１乃至４または請求項１０のいずれか１項に記載の画像処理装置。
【請求項１２】
請求項１乃至１１のいずれか１項に記載の画像処理装置を通信ネットワークで複数接続したことを特徴とする画像処理システム。
【請求項１３】
画像処理装置の制御方法であって、
保存されている所定情報のデータの更新に関する情報を記述したシンジケーションデータを取得するシンジケーションデータ取得工程と、
前記画像処理装置を利用者が操作するための操作手段において行われた、前記画像処理装置を機能させるための一定の操作に応じて、前記シンジケーションデータ取得工程によりシンジケーションデータを取得し、取得したシンジケーションデータを整形して表示手段により表示する制御工程と、
を備えることを特徴とする画像処理装置の制御方法。
【請求項１４】
画像処理装置の制御方法であって、
保存されている所定情報のデータの更新に関する情報を記述したシンジケーションデータを取得するシンジケーションデータ取得工程と、
前記画像処理装置がアイドル状態にあるときに、前記シンジケーションデータ取得工程によりシンジケーションデータを取得し、取得したシンジケーションデータを整形して表示手段により表示する制御工程と、
を備えることを特徴とする画像処理装置の制御方法。
【請求項１５】
画像処理装置の制御方法であって、
保存されている所定情報のデータの更新に関する情報を記述したシンジケーションデータを取得するシンジケーションデータ取得工程と、
前記画像処理装置にエラーが発生したときに、前記シンジケーションデータ取得手段によりシンジケーションデータを取得し、取得したシンジケーションデータを整形して表示手段により表示する制御工程と、
を備えることを特徴とする画像処理装置の制御方法。
【請求項１６】
前記画像処理装置はネットワークに接続され、
前記画像処理装置内部に記憶されたデータの更新に関する情報を収集する更新情報収集工程と、
前記更新情報収集工程により収集した更新情報をマークアップ言語によって記述したシンジケーションデータを生成して保存する生成工程と、
前記シンジケーションデータを要求に応じて提供するシンジケーションデータ提供工程とをさらに備え、
前記シンジケーションデータ取得工程は、前記ネットワークに接続された他の画像処理装置、または、当該シンジケーションデータ取得工程が実行される画像処理装置のいずれからもシンジケーションデータを取得可能であることを特徴とする請求項１３乃至１５のいずれか１項に記載の画像処理装置の制御方法。
【請求項１７】
請求項１３乃至１６のいずれか１項に記載の制御方法の各工程を、画像処理装置に内蔵されたコンピュータにより実行させることを特徴とするプログラム。
【手続補正２】
【補正対象書類名】明細書
【補正対象項目名】０００７
【補正方法】変更
【補正の内容】
【０００７】
特許文献２には、電子ファイリングシステムにおいて、文書の更新情報を蓄積・管理し、ホストコンピュータからの要求に応じて指定された日時以降の文書更新データを通知する通知機構を持つ電子ファイリングシステムが開示されている。
【非特許文献１】Dan Brickley他１０名、"RDF Site Summary (RSS) 1.0"、［ｏｎｌｉｎｅ］２００１年５月３０日、RSS-DEV Working Group、［２００５年３月１７日検索］、インターネット＜ＵＲＬ：http://purl.org/rss/1.0/spec＞
【非特許文献２】M. Nottingham, R. Sayer編、"The Atom Syndication Format draft-ietf-atompub-format-03"、［ｏｎｌｉｎｅ］２００４年１０月２０日、RSS-DEV Working Group、［２００５年３月１７日検索］、インターネット＜ＵＲＬ：http://atompub.org/2004/10/20/draft-ietf-atompub-format-03.html＞
【特許文献１】特開２００１−２３２９０８号公報
【特許文献２】特開平４−１３９５５７号公報